(57)【要約】      （修正有）【課題】コイルにワニスを十分に含浸させることができる技術を提供する。【解決手段】絶縁ワニスをコイルに滴下することによって絶縁ワニスをコイルに含浸させる絶縁ワニスのコイル含浸方法であり、前記コイルは回転電機のステータに配設され、前記ステータの内側に永久磁石入りのロータを設置した状態で、前記絶縁ワニスをコイルに滴下する際に、前記コイルに交流電流を印加する。さらに、前記交流電流は、前記ステータのコアを共振させるための所定周波数の交流電流を前記コイルに印加する。【選択図】図１
2014017350.tif 000002
【特許請求の範囲】
【請求項１】
絶縁ワニスをコイルに滴下することによって前記絶縁ワニスを前記コイルに含浸させる絶縁ワニスのコイル含浸方法であって、
前記絶縁ワニスを前記コイルに滴下する際に、前記コイルに交流電流を印加することを特徴とする絶縁ワニスのコイル含浸方法。
【請求項２】
請求項１に記載の絶縁ワニスのコイル含浸方法において、
前記コイルは回転電機のステータに配設され、前記ステータの内側に永久磁石入りのロータを設置した状態で前記コイルに交流電流を印加することを特徴とする絶縁ワニスのコイル含浸方法。
【請求項３】
請求項１または請求項２に記載の絶縁ワニスのコイル含浸方法において、
前記コイルは回転電機のステータに配設され、前記ステータのコアを共振させるための所定周波数の交流電流を前記コイルに印加することを特徴とする絶縁ワニスのコイル含浸方法。
【発明の詳細な説明】
【技術分野】
【０００１】
本発明は、絶縁ワニスのコイル含浸方法に関する。
【背景技術】
【０００２】
従来、コイルの上方からワニスを滴下させることによってワニスを含浸させる方法において、コイルを回転させるとともに、コイルを振動させながらワニスを滴下させる技術が知られている（特許文献１参照）。
【先行技術文献】
【特許文献】
【０００３】
【特許文献１】特開平６−３２７２０１号公報
【発明の概要】
【発明が解決しようとする課題】
【０００４】
しかしながら、特許文献１に記載の技術では、振動付与装置によって直接コイルを振動させるため、必ずしも十分にワニスを含浸させることができないという問題があった。  
【０００５】
本発明は、コイルにワニスを十分に含浸させることができる技術を提供することを目的とする。
【課題を解決するための手段】
【０００６】
本発明による絶縁ワニスのコイル含浸方法は、絶縁ワニスをコイルに滴下することによって絶縁ワニスをコイルに含浸させる方法であって、絶縁ワニスをコイルに滴下する際に、コイルに交流電流を印加する。
【発明の効果】
【０００７】
本発明によれば、コイルに交流電流を印加してステータコアを振動させることによって、ワニス含浸を促進させることができる。
【図面の簡単な説明】
【０００８】
【図１】図１は、一実施の形態における絶縁ワニスのコイル含浸方法を適用した装置を示す図である。
【図２】図２は、ステータの内側にロータを設置していない状態で、三相交流電流をコイルに印加することにより生じるステータコアの振動を説明するための図である。
【図３】図３は、ステータの内側に永久磁石入りのロータを設置した状態で、三相交流電流をコイルに印加することにより生じるステータコアの振動を説明するための図である。
【発明を実施するための形態】
【０００９】
一実施の形態における絶縁ワニスのコイル含浸方法は、絶縁ワニスをコイルに滴下することによって絶縁ワニスをコイルに含浸させるものであって、絶縁ワニスをコイルに滴下する際に、コイルに交流電流を印加する。これにより、ステータコアを振動させて、絶縁ワニスの含浸を効果的に促進させることができる。
【００１０】
図１は、一実施の形態における絶縁ワニスのコイル含浸方法を適用した装置を示す図である。コイルは、モータのステータコアに複数設けられたスロットに巻線が巻かれて形成されたものである。コイル２が配設されたステータ１は、内径チャック３により内径側が支持される。
【００１１】
ステータ１の内側には、永久磁石入りのロータ４が設置される。このロータは、製品として完成状態のモータに用いられるロータをそのまま用いてもよいし、ワニス含浸のために、実際のロータとは別のダミーロータを用いてもよい。図１に示す例では、ワニス含浸のためのダミーロータ４を設置している。
【００１２】
ステータ１のコイルエンドには、コイルに三相交流電流を流すためのリード線５が接続されている。三相交流電流は、ＡＣ電源６から供給される。なお、内径チャック３、ロータ４およびＡＣ電源６は、中心軸７と接続されているが、中心軸７とＡＣ電源６との間には、スリップリング８及び軸受け９が設けられ、中心軸７とロータ４との間には軸受け９が設けられる。
【００１３】
ワニス滴下ノズル１０ａ、１０ｂからは、絶縁ワニスが滴下される。絶縁ワニスとしては、一般的にコイルの絶縁処理に用いられるものを用いることができ、例えば樹脂を含有し、必要に応じて硬化剤、硬化促進剤、無機充填剤、溶剤を添加したものを用いることができる。ワニス滴下ノズル１０ａは、コイル２の外側（外周側）に絶縁ワニスを滴下し、ワニス滴下ノズル１０ｂは、コイルの内側（内周側）に絶縁ワニスを滴下する。
【００１４】
絶縁ワニスをコイルに含浸させる方法について説明する。第一工程として、コイル２が配設されたステータ１を絶縁ワニスの粘度が十分下がる温度まで加熱する。例えば、９０℃まで加熱する。次に、第二工程として、ステータ１を回転させながら、ワニス滴下ノズル１０ａ、１０ｂから絶縁ワニスをコイル２に滴下する。この時に、ＡＣ電源６からリード線５を介して、コイル２に三相交流電流を印加する。コイルエンドに滴下された絶縁ワニスは、毛細管現象により、回転軸方向におけるステータ１の内部に含浸していく。本実施形態では、コイル２に三相交流電流を印加することにより、ステータコアを振動させて、ワニス含浸を促進させることができる。
【００１５】
最後に第三工程として、ステータ１を絶縁ワニスが十分硬化する条件で加熱することにより、絶縁ワニスを硬化させる。例えば１５０℃で３０分間加熱することにより、絶縁ワニスを硬化させる。
【００１６】
ここで、ステータコアの振動の大きさは、コイル２に流す三相交流電流の大きさによって変わり、また、三相交流電流の周波数の大きさによっても変わる。本実施形態では、コイル２に三相交流電流を印加する際に、ステータコアを共振させるための所定周波数の交流電流を印加する。ステータコアを共振させるための周波数は、実験等を行うことにより予め求めておく。ステータコアを共振させるための所定周波数の交流電流を印加することにより、ステータコアの振動をさらに大きくすることができ、ワニス含浸をさらに促進させることができる。
【００１７】
ステータ１の内側にロータ４を設置した場合と設置しない場合との違いについて、図２および図３を用いて説明する。なお、図２および図３では、コイル２を省略した状態のステータ１を示している。
【００１８】
図２は、ステータ１の内側にロータ４を設置していない状態で、三相交流電流をコイル２に印加することにより生じるステータコアの振動を説明するための図である。ステータ１の内側にロータ４を設置していない状態でコイル２に三相交流電流を印加すると、ステータ１に設けられている複数のティース１１間の引力および斥力により、ティース１１の先端同士が周方向に振動する。
【００１９】
図３は、ステータ１の内側にロータ４を設置した状態で、三相交流電流をコイル２に印加することにより生じるステータコアの振動を説明するための図である。ステータ１の内側に永久磁石入りのロータ４を設置している状態でコイル２に三相交流電流を印加すると、周方向への振動だけでなく、複数のティース１１とロータ４の永久磁石２０との間の引力および斥力により、ティース１１と永久磁石とを結ぶ方向にも振動が発生する。すなわち、ステータ１の内側に永久磁石入りのロータ４を設置した構成の方が、ロータ４を設置しない構成に比べて、ステータコアの振動を大きくすることができ、ワニス含浸をより促進させることができる。
【００２０】
以上、一実施の形態における絶縁ワニスのコイル含浸方法によれば、絶縁ワニスをコイル２に滴下する際に、コイル２に交流電流を印加するので、ステータコアを振動させて、ワニス含浸を促進させることができる。
【００２１】
従来、絶縁ワニスを入れた容器内にコイルを浸漬することにより、絶縁ワニスをコイルに含浸させる方法も知られているが、この方法では、不必要な部分にも絶縁ワニスが付着してしまう。しかしながら、本実施形態では、絶縁ワニスをコイル２に滴下させるので、不必要な部分にまで絶縁ワニスが付着することもない。
【００２２】
また、ワニスを滴下する際に、振動付与装置によって直接コイルを振動させる従来の方法では、振動を付与するための専用の振動付与装置を別途用意する必要があるが、本実施形態における絶縁ワニスのコイル含浸方法によれば、専用の振動付与装置を別途用意する必要もない。
【００２３】
一実施の形態における絶縁ワニスのコイル含浸方法によれば、コイル２は回転電機のステータ１に配設され、ステータ１の内側に永久磁石入りのロータ４を設置した状態でコイル２に交流電流を印加するので、ステータ１のティース間の振動だけでなく、ステータのティースとロータ４の永久磁石との間での引力および斥力に起因する振動も発生させることができ、ワニス含浸をさらに促進させることができる。
【００２４】
さらに、コイル２に交流電流を印加させる際に、ステータ１のコアを共振させるための所定周波数の交流電流を印加するので、共振によりステータコアの振動をさらに大きくすることができ、ワニス含浸をさらに促進させることができる。
【００２５】
本発明は、上述した一実施の形態に限定されることはない。例えば、絶縁ワニスが含浸されるコイルとしては、電動機のコイルに限定されることはなく、発電機のコイルにも適用可能である。
【符号の説明】
【００２６】
１…ステータ
２…コイル
４…永久磁石入りのロータ
５…リード線
６…ＡＣ電源
１０ａ、１０ｂ…ワニス滴下ノズル
【図１】
2014017350.tif 000003
【図２】
2014017350.tif 000004
【図３】
2014017350.tif 000005